(57)【要約】【課題】  タッチパネルに対して行われる２点押しのタッチ操作を、表示デバイスにおける様々な映像表示形態の変更に利用する。【解決手段】  複数の映像を表示することの可能な表示デバイス（映像表示ユニット１２０）と；表示デバイスの前面に設けられ、所定時間内に２点に対して行われたタッチ操作の態様を表す情報を出力することの可能なタッチパネル（タッチパネルユニット１１０）と；タッチパネルの情報出力値に基づいてタッチ操作に係る２点の位置座標を算出すると共に、２点の位置座標により定義される線分の方向及び長さを算出する線分算出部１０１と；線分算出部１０１の算出結果に基づいて表示デバイスにおける映像表示形態を変更する表示変更部１０２と；を採用する。【選択図】  図１
2007241410.tif 000002
【特許請求の範囲】
【請求項１】
複数の映像を表示することの可能な表示デバイスと；
前記表示デバイスの前面に設けられ、所定時間内に２点に対して行われたタッチ操作の態様を表す情報を出力することの可能なタッチパネルと；
前記タッチパネルの情報出力値に基づいて前記タッチ操作に係る２点の位置座標を算出すると共に、前記２点の位置座標により定義される線分の方向及び長さを算出する線分算出手段と；
前記線分算出手段の算出結果に基づいて前記表示デバイスにおける映像表示形態を変更する表示変更手段と；を備えることを特徴とする表示装置。
【請求項２】
前記表示変更手段は、前記線分算出手段により算出された前記線分の方向が斜めであるときに、前記表示デバイスに表示中の映像を、前記線分算出手段により算出された前記線分の長さに応じ縮小又は拡大して表示する、ことを特徴とする請求項１に記載の表示装置。
【請求項３】
前記表示変更手段は、前記線分算出手段により算出された前記線分の方向が斜めであるときに、前記表示デバイスに表示中の映像の領域に、前記線分算出手段により算出された前記線分を対角線とした表示ウィンドウを定義して、当該表示ウィンドウ内に、前記表示中の映像とは異なる他ソースの映像を表示する、ことを特徴とする請求項１に記載の表示装置。
【請求項４】
前記表示変更手段は、前記線分算出手段により算出された前記線分の方向が縦又は横であり、かつ、前記線分算出手段により算出された前記２点の位置座標の少なくとも一方が、前記表示デバイスに表示中のオンスクリーンメニュー上に位置しないときに、前記表示デバイスに表示中の映像の領域を、前記線分を含む直線を境界域とした左右又は上下の２画面領域に分割して、当該２画面領域に、それぞれ、前記表示中の映像と当該表示中の映像とは異なる他ソースの映像とを表示する、ことを特徴とする請求項１〜３に記載の表示装置。
【請求項５】
前記表示変更手段は、前記線分算出手段により算出された前記線分の方向が縦又は横であり、かつ、前記表示デバイスにオンスクリーンメニューが表示されていないときに、前記表示デバイスに新たなオンスクリーンメニューを表示する、ことを特徴とする請求項１〜３に記載の表示装置。
【請求項６】
前記表示変更手段は、前記線分算出手段により算出された前記線分の方向が縦又は横であり、かつ、前記線分算出手段により算出された前記２点の位置座標が、共に、１つのソースが前記表示デバイスに表示中のオンスクリーンメニュー上に位置するときに、ショートカット入力と判定し、前記ショートカット入力に対応する表示を行う、ことを特徴とする請求項１〜５に記載の表示装置。
【請求項７】
複数の映像を表示することの可能な表示デバイスと；前記表示デバイスの前面に設けられ、所定時間内に２点に対して行われたタッチ操作の態様を表す情報を出力することの可能なタッチパネルと；を備えて構成される表示装置で使用される表示制御方法であって、
前記タッチパネルの情報出力値に基づいて前記タッチ操作に係る２点の位置座標を算出すると共に、前記２点の位置座標により定義される線分の方向及び長さを算出する線分算出工程と；
前記線分算出工程の算出結果に基づいて前記表示デバイスにおける映像表示形態を変更する表示変更工程と；を備えることを特徴とする表示制御方法。
【請求項８】
請求項７に記載の表示制御方法を表示装置の演算手段に実行させる、ことを特徴とする表示制御プログラム。
【請求項９】
請求項８に記載の表示制御プログラムが表示装置の演算手段により読み取り可能に記録されている、ことを特徴とする表示制御プログラムを記録した記録媒体。
【発明の詳細な説明】
【技術分野】
【０００１】
本発明は、ナビゲーション装置等の映像表示機器に適用される表示装置、及びその表示装置で使用される表示制御方法に関する。
【背景技術】
【０００２】
従来、オンスクリーンメニュー等の副映像を主映像に重畳して表示することの可能な表示デバイスが知られている。この種の表示デバイスは、タッチパネルとの組み合せにより、入力操作型の表示装置として構成することが可能である。この場合、通常、タッチパネルには、所定時間内に２点に対して行われたタッチ操作による誤動作を排除するための機能が具備される。
【０００３】
このタッチパネルの誤動作を排除する技術の一例として、抵抗膜式タッチパネルにおいて、タッチ操作に係る位置座標を、単に抵抗分圧比から検知するのではなく、さらに、タッチ操作に起因して流れる電流から１点押しと多重点押しとを区別するもの（特許文献１参照；以下、「従来例」という）等が提案されている。この従来例の技術は、タッチパネルに対して行われた１点押しと多重点押しとの各タッチ操作の違いを厳密に区別しうるものとして、極めて有用なものである。
【０００４】
【特許文献１】特開平１１−３５３１０１号公報
【発明の開示】
【発明が解決しようとする課題】
【０００５】
しかしながら、従来例の技術においては、本来、所定時間内にタッチパネルの２点に対して行われたタッチ操作を排除することを目的としている。このため、その２点押しのタッチ操作を前提とした表示アプリケーションの開発が何ら行われていない。
【０００６】
本発明は、上記のような事情に鑑みてなされたものであり、タッチパネルに対して行われる２点押しのタッチ操作を、表示デバイスにおける様々な映像表示形態の変更に利用することを目的とする。
【課題を解決するための手段】
【０００７】
請求項１に記載の発明は、複数の映像を表示することの可能な表示デバイスと；前記表示デバイスの前面に設けられ、所定時間内に２点に対して行われたタッチ操作の態様を表す情報を出力することの可能なタッチパネルと；前記タッチパネルの情報出力値に基づいて前記タッチ操作に係る２点の位置座標を算出すると共に、前記２点の位置座標により定義される線分の方向及び長さを算出する線分算出手段と；前記線分算出手段の算出結果に基づいて前記表示デバイスにおける映像表示形態を変更する表示変更手段と；を備えることを特徴とする表示装置である。
【０００８】
請求項７に記載の発明は、複数の映像を表示することの可能な表示デバイスと；前記表示デバイスの前面に設けられ、所定時間内に２点に対して行われたタッチ操作の態様を表す情報を出力することの可能なタッチパネルと；を備えて構成される表示装置で使用される表示制御方法であって、前記タッチパネルの情報出力値に基づいて前記タッチ操作に係る２点の位置座標を算出すると共に、前記２点の位置座標により定義される線分の方向及び長さを算出する線分算出工程と；前記線分算出工程の算出結果に基づいて前記表示デバイスにおける映像表示形態を変更する表示変更工程と；を備えることを特徴とする表示制御方法である。
【０００９】
請求項８に記載の発明は、請求項７に記載の表示制御方法を表示装置の演算手段に実行させる、ことを特徴とする表示制御プログラムである。
【００１０】
請求項９に記載の発明は、請求項８に記載の表示制御プログラムが表示装置の演算手段により読み取り可能に記録されている、ことを特徴とする表示制御プログラムを記録した記録媒体である。
【発明を実施するための最良の形態】
【００１１】
以下、本発明の一実施形態につき、図１〜図７を参照しながら詳細に説明する。なお、本実施形態においては、本発明の適用を受ける表示装置が、車両等の移動体に搭載される「ナビゲーション装置」において実現されている場合を、代表的に説明する。
【００１２】
［構成］
図１には、本発明の一実施形態に係るナビゲーション装置１０の機能構成が、ブロック図にて示されている。また、図２には、図１に示したナビゲーション装置１０の外観構成が、正面図にて示されている。
【００１３】
図１に示されるように、このナビゲーション装置１０は、演算手段を構成する制御ユニット１００と、タッチパネルユニット１１０と、映像表示ユニット１２０と、操作入力ユニット１３０と、音声出力ユニット１４０と、光学ディスクドライブ装置１５０と、ハードディスク装置１６０とを備えて構成される。なお、一般のナビゲーション装置は、上記各構成要素以外にも、音声入力ユニット、走行センサユニット、ＧＰＳ受信ユニット等を備えて構成されるが、これら図示されない各要素は、本発明（表示装置）の機能とは無関係であるため、その説明を省略する。
【００１４】
制御ユニット１００は、線分算出手段としての線分算出部１０１と、表示変更手段としての表示変更部１０２とを備えている。
【００１５】
線分算出部１０１は、図２に示されるタッチパネル１１１の２点に対して所定時間内に行われたタッチ操作に係る２点の位置座標を、当該タッチパネル１１１からの情報出力値に基づいて算出する機能を有している。また、線分算出部１０１は、算出された２点の位置座標により定義される線分の方向及び長さを算出する機能を有している。
【００１６】
図１に戻り、表示変更部１０２は、線分算出部１０１の算出結果に基づいて、図２に示される表示デバイス１２１における映像表示形態を変更する機能を有している。なお、表示デバイス１２１への表示としては、１つソースによる１画面表示又は２つのソースによる２画面表示が可能となっている。
【００１７】
即ち、表示変更部１０２は、線分算出部１０１により算出された線分の方向が斜めであるときに、（ｉ）表示デバイス１２１に表示中の映像を、線分算出部１０１により算出された線分の長さの大小に応じ縮小又は拡大して表示する機能と、（ii）表示デバイス１２１に表示中の映像の領域に、線分算出部１０１により算出された線分を対角線とした表示ウィンドウを定義して、当該表示ウィンドウ内に、表示中の映像とは異なる他ソースの映像を表示する機能とを有している。ここで、（ｉ）の機能は、表示デバイス１２１への表示を行うソースが１つの場合に発揮される。また、（ii）の機能は、表示デバイス１２１への表示を行うソースが２つあり、表示デバイス１２１への表示を行っていないソースが存在している場合に発揮される。
【００１８】
また、表示変更部１０２は、線分算出部１０１により算出された線分の方向が縦又は横であるときに、（iii）線分算出部１０１により算出された２点の位置座標が表示デバイス１２１に表示中の映像の領域を、線分を含む直線を境界域とした左右又は上下の２画面領域に分割して、当該２画面領域に、それぞれ、表示中の映像と当該表示中の映像とは異なる他ソースの映像とを表示する機能と、（iv）表示デバイス１２１にオンスクリーンメニューを表示する機能とを有している。ここで、（iii）の機能は、表示デバイス１２１への表示を行うソースが２つあり、表示デバイス１２１に、一方のソースによる画面表示のみが行われており、かつ、線分算出部１０１により算出された２点の位置座標の少なくとも一方が表示中のオンスクリーンメーニュー上に位置していない場合に発揮される。また、（iv）の機能は、１つのソースによる表示画面中においてオンスクリーンメニューが表示されておらず、かつ、線分算出部１０１により算出された２点の位置座標が、共に、１つのソースによる表示画面中に位置する場合等に発揮される。
【００１９】
さらに、表示変更部１０２は、線分算出部１０１により算出された線分の方向が縦又は横であり、かつ、線分算出部１０１により算出された２点の位置座標が、共に、１つのソースが表示デバイス１２１に表示中のオンスクリーンメニュー上に位置するときに、（ｖ）当該オンスクリーンメニューのショートカットとして定義された他のオンスクリーンメニューを表示する機能を有する。
【００２０】
図１に戻り、タッチパネルユニット１１０は、前述したタッチパネル１１１と、これを駆動する駆動回路とを備えて構成される。駆動回路は、タッチパネル１１１に対して所定時間内に行われた２点のタッチ操作の態様を表す情報（例えば電流値）を出力して、これを制御ユニット１００に与える。なお、タッチパネル１１１は、上記２点のタッチ操作の態様を表す情報を出力しうるものであれば、どのような種類のものも適用可能である。
【００２１】
映像表示ユニット１２０は、（ｉ）複数の映像を表示することの可能な液晶表示パネル等の表示デバイス１２１；（ii）制御ユニット１００から送出された表示制御データに基づいて、映像表示ユニット１２０全体の制御を行うグラフィックレンダラ等の表示コントローラ；（iii）表示すべき映像データを一時記憶する表示映像メモリ等を備えて構成される。この映像表示ユニット１２０は、制御ユニット１００の制御下で、ナビゲーション処理に係る地図情報やオンスクリーンメニュー等を表示するほか、光学ディスクドライブ装置１５０におけるＤＶＤ（Digital Versatile Disc）タイトルの再生映像や、これに伴うオンスクリーンメニュー等を表示する。
【００２２】
操作入力ユニット１３０は、キー部を備えて構成される。このキー部としては、図２に示されるように、ナビゲーション装置１０の本体部に設けられた複数のハードキー１３１や、表示デバイス１２１上に表示されたオンスクリーンメニュー前面のタッチパネル１１１上に定義された複数のソフトキー１３２等が採用される。この操作入力ユニット１３０のキー部を車両運転者が操作することにより、ナビゲーション装置１０の動作内容の設定、例えば、目的地の設定、情報の検索設定、車両の走行状況表示設定等が行われるほか、光学ディスクドライブ装置１５０に対する音声や映像の再生指定等が行われる。これら操作入力情報は、操作入力ユニット１３０から制御ユニット１００へ与えられる。
【００２３】
音声出力ユニット１４０は、制御ユニット１００によるコマンド応答時の音声を合成するための音声合成装置や、音声増幅器を経て増幅された音声合成信号を音声に変換して外部に放音するスピーカ等を備えて構成される。この音声出力ユニット１４０は、制御ユニット１００の制御下で、車両の進行方向、走行状況、交通状況、上記コマンド応答等に関する音声ガイドを出力するほか、光学ディスクドライブ装置１５０からの再生音声等を出力する。
【００２４】
光学ディスクドライブ装置１５０は、ＤＶＤ−ＲＯＭ（Read Only Memory）等の記録媒体に記録された映像データや音声データを読み出し、これを制御ユニット１００に与える。制御ユニット１００は、与えられた映像データ及び音声データの再生処理を実行して、これらを（表示変更部１０２を介しながら）映像表示ユニット１２０及び音声出力ユニット１４０にそれぞれ与える。
【００２５】
ハードディスク装置１６０は、制御ユニット１００で実行される各種プログラムを記憶するほか、オンスクリーンメニュー（ソフトキー１３２）に関する映像データ（以下、単に「メニュー映像」ともいう）をメニュー映像記憶領域１６１に、また、ナビゲーション処理に係る地図データを地図データ記憶領域１６２にそれぞれ記憶する。制御ユニット１００は、このハードディスク装置１６０に記憶されたメニュー映像及び地図データの再生処理を実行して、これらを（表示変更部１０２を介しながら）映像表示ユニット１２０に与える。なお、地図データ記憶領域１６２には、例えば、ＤＶＤ−ＲＯＭ等の記録媒体に記録された地図データが、光学ディスクドライブ装置１５０を通じて読み出され、保持される。
【００２６】
［動作］
続いて、以上のように構成された、表示装置としてのナビゲーション装置１０において実行される表示制御方法を説明する。なお、この表示制御方法の説明では、ナビゲーション装置１０により、（ｉ）ナビゲーション表示を単独で行う際の「ナビゲーション単独モード」と；（ii）ナビゲーション表示のバックグラウンドでＤＶＤタイトル等の他ソースの音声を再生する際の「他ソース再生モード」と；（iii）ナビゲーション表示と他ソース表示とを２画面で行う際の「２画面表示モード」と；を順に説明する。
【００２７】
＜ナビゲーション単独モード＞
図３には、ナビゲーション装置１０の制御ユニット１００においてナビゲーション単独モード時に実行される表示制御方法の工程が示され、図４（Ａ）及び図４（Ｂ）には、当該ナビゲーション単独モード時における表示デバイス１２１の映像表示形態が示されている。なお、このナビゲーション単独モードにおいては、映像表示ユニット１２０の表示デバイス１２１上に、ナビゲーション処理に係る地図映像が表示されているものとする。
【００２８】
図３に示されるように、ナビゲーション単独モード時における表示制御方法は、まず、ステップＳ１１において、ナビゲーション装置１０の制御ユニット１００が、タッチパネルユニット１１０におけるタッチパネル１１１の２点に対して所定時間内に行われた、タッチ操作の態様を表す情報出力値（例えば電流値）を取得することにより開始される。そして、ステップＳ１２において、制御ユニット１００の線分算出部１０１は、その取得された情報出力値に基づいて、上記タッチ操作に係る２点の位置座標を算出すると共に、その算出された２点の位置座標により定義される線分の方向及び長さ（以下、「線分情報」とも呼ぶ）を算出する。
【００２９】
次に、ステップＳ１３において、制御ユニット１００は、算出された線分の長さが有効であるか否かを、事前に設定された閾値を参照するなどして判定する。この判定処理は、本来は１点押しを意図したタッチ操作時に、誤って２本の指により２点押しが行われた状況における誤動作を回避するための配慮である。このために、制御ユニット１００は、算出された線分の長さが極端に短く、ステップＳ１３において、線分の長さが無効とされる場合には（ステップＳ１３；Ｎ）、このナビゲーション単独モード時における表示制御方法の工程を終了する。
【００３０】
これに対し、ステップＳ１３において、算出された線分の長さが有効とされる場合（ステップＳ１３；Ｙ）、制御ユニット１００は、ステップＳ１４において、その線分の方向が斜めであるか否かを判定する。この判定の結果、線分の方向が斜めであった場合（ステップＳ１４；斜め）、ステップＳ１５において、制御ユニット１００は、その線分の長さの長短を、事前に設定された閾値を参照するなどして更に判定する。
【００３１】
以上のステップＳ１５における判定の結果、線分の長さが長いとされた場合（ステップＳ１５；大）、制御ユニット１００の表示変更部１０２は、ステップＳ１６において、映像表示ユニット１２０の表示デバイス１２１に表示中の地図映像を、その線分の長さに応じ縮小して表示し、このナビゲーション単独モード時における表示制御方法の工程を終了する。他方、ステップＳ１５において、線分の長さが短いとされた場合（ステップＳ１５；小）、表示変更部１０２は、ステップＳ１７において、表示デバイス１２１に表示中の地図映像を、その線分の長さに応じ拡大して表示し、当該表示制御方法の工程を終了する。
【００３２】
この地図映像の縮小及び拡大の様子は、図４（Ａ）に示される。即ち、２点押しのタッチ操作がタッチパネル１１１上の位置Ａ１及びＡ２に対して斜め方向行われた結果、両者間の線分長さが閾値よりも大きいとされた場合には、それら位置Ａ１及びＡ２を対角として定義される矩形領域の地図映像を縮小させる処理が行われる。また、２点押しのタッチ操作がタッチパネル１１１上の位置Ｂ１及びＢ２に対して斜め方向に行われた結果、両者間の線分長さが閾値よりも小さいとされた場合には、それら位置Ｂ１及びＢ２を対角として定義される矩形領域の地図映像を縮小させる処理が行われる。
【００３３】
図３に戻り、ステップＳ１４における判定の結果、線分の方向が縦又は横であった場合（ステップＳ１４；縦／横）、制御ユニット１００は、ステップＳ１８において、映像表示ユニット１２０の表示デバイス１２１に、複数のソフトキー１３２の各領域を定義するためのオンスクリーンメニューが表示中であるか否かを判定する。そして、オンスクリーンメニューが表示中であった場合（ステップＳ１８；Ｙ）、制御ユニット１００は、ステップＳ１９において、線分算出部１０１により算出された２点の位置座標が、共にオンスクリーンメニュー上に位置するか否かを更に判定することにより、タッチパネル１１１に対する２点押しのタッチ操作が、当該オンスクリーンメニューに対して行われたものであるか否かを判定する。
【００３４】
以上のステップＳ１９における判定の結果、タッチパネル１１１に対する２点押しのタッチ操作が、オンスクリーンメニューに対して行われたものであるとされた場合（ステップＳ１９；Ｙ）、制御ユニット１００の表示変更部１０２は、ステップＳ２０において、当該オンスクリーンメニューのショートカットとして定義された他のオンスクリーンメニューを表示し、このナビゲーション単独モード時における表示制御方法の工程を終了する。他方、ステップＳ１９における判定の結果、２点押しのタッチ操作がオンスクリーンメニューに対して行われたものではないとされた場合（ステップＳ１９；Ｎ）、表示変更部１０２は、ステップＳ２１において、表示デバイス１２１上に、現在まで横方向に表示されていたオンスクリーンメニューとは異なる縦方向のオンスクリーンメニューを表示し、この表示制御方法の工程を終了する。なお、ステップＳ１８における判定の結果、オンスクリーンメニューが表示中ではないとされた場合も（ステップＳ１８；Ｎ）、表示変更部１０２は、ステップＳ２１において、縦又は横方向のオンスクリーンメニューを新たに表示する。
【００３５】
このオンスクリーンメニューの表示の様子は、図４（Ｂ）に示される。即ち、２点押しのタッチ操作がタッチパネル１１１上の位置Ｃ１及びＣ２に対して横方向に行われた結果、２点の位置座標が共にオンスクリーンメニュー上に位置するとされた場合には、それら位置Ｃ１及びＣ２に対応する２つのソフトキー１３２の組み合せにより定義されるショートカットメニュー（図示されず）を表示するための処理が行われる。また、例えば、２点押しのタッチ操作がタッチパネル１１１上の位置Ｄ１及びＤ２に対して縦方向に行われた結果、２点の位置座標がオンスクリーンメニュー上に位置しないとされた場合には、これまで横方向に表示されていたオンスクリーンメニュー（ソフトキー１３２）を、縦方向の表示（ソフトキー１３２ａ）に変更する処理が行われる。（これまで縦方向に表示されていた場合には、それを横方向の表示に変更する処理が行われる。）
【００３６】
＜他ソース再生モード＞
図５には、ナビゲーション装置１０の制御ユニット１００において他ソース再生モード時に実行される表示制御方法の工程が示され、図６（Ａ）及び図６（Ｂ）には、当該他ソース再生モード時における表示デバイス１２１の映像表示形態が示されている。なお、このナビゲーション単独モードにおいては、映像表示ユニット１２０の表示デバイス１２１上に、ナビゲーション処理に係る地図映像が表示されており、そのバックグラウンドで、光学ディスクドライブ装置１５０を通じてＤＶＤタイトルの音声が再生されているものとする。
【００３７】
図５に示されるように、他ソース再生モード時における表示制御方法にあっては、前述したナビゲーション単独モード時におけるそれと同様、制御ユニット１００は、ステップＳ１１におけるタッチパネル出力値取得、ステップＳ１２における位置座標・線分の方向及び長さの算出、ステップＳ１３における線分長さ有効判定、及びステップ１４における線分方向判定に関する処理を順次実行する。
【００３８】
そして、ステップＳ１４において判定された線分の方向が斜めであった場合、制御ユニット１００の表示変更部１０２は、ステップＳ３１において、映像表示ユニット１２０の表示デバイス１２１に表示中の地図映像の領域に、ステップＳ１２において算出された線分を対角線とした表示ウィンドウを定義して、当該表示ウィンドウ内にＤＶＤタイトルの映像を表示し、この他ソース再生モード時における表示制御方法の工程を終了する。
【００３９】
この地図映像の縮小及び拡大の様子は、図６（Ａ）に示される。即ち、２点押しのタッチ操作がタッチパネル１１１上の位置Ｅ１及びＥ２に対して斜め方向行われた場合には、表示中の地図映像（ナビゲーション映像）を背景としながら、それら位置Ｅ１及びＥ２を対角として定義される表示ウィンドウ１２２内に、ＤＶＤタイトル映像（他ソース映像）を表示する処理が行われる。
【００４０】
図６に戻り、ステップＳ１４において判定された線分の方向が縦又は横であった場合、制御ユニット１００は、前述したナビゲーション単独モード時と同様、ステップＳ１８におけるメニュー表示中判定、ステップＳ１９におけるメニュー操作判定、ステップＳ２０におけるショートカットメニュー表示、及びステップＳ２１における縦／横メニュー表示に関する処理を順次実行する。
【００４１】
そして、Ｓ１９において、２点押しのタッチ操作が、オンスクリーンメニューに対して行われたものではないと判定された場合、制御ユニット１００は、ステップＳ３２において、上述のステップＳ１２において算出された線分に関する位置座標が有効であるか否かを判定する。この判定処理は、後述する２画面分割表示が有効に行われるようにするための配慮である。このために、制御ユニット１００は、算出された線分の位置座標が表示デバイス１２１上の主要領域に位置しておらず（周辺領域に位置しており）、当該位置座標が有効ではないとされた場合には（ステップＳ３２；Ｎ）、この他ソース再生モード時における表示制御方法の工程を終了する。
【００４２】
これに対し、算出された線分の位置座標が表示デバイス１２１上の主要領域に位置しており（周辺領域に位置しておらず）、当該位置座標が有効であるとされた場合（ステップＳ３２；Ｙ）、制御ユニット１００の表示変更部１０２は、ステップＳ３３において、表示デバイス１２１に表示中の地図映像の領域を、ステップＳ１２において算出された線分を含む直線を境界域とした左右又は上下の２画面領域に分割して、当該２画面領域に、それぞれ、表示中の地図映像とＤＶＤタイトル映像とを表示し、この他ソース再生モード時における表示制御方法の工程を終了する。
【００４３】
この２画面分割表示の様子は、図６（Ｂ）に示される。即ち、２点押しのタッチ操作がタッチパネル１１１上の位置Ｆ１及びＦ２に対して縦方向に行われた場合、当該タッチパネル１１１の表示領域は、それら位置Ｆ１及びＦ２により定義される線分を含む直線を境界域１２３とした左右２画面の領域、即ち、左方のＤＶＤタイトル映像（他ソース映像）に関する表示領域と、右方の地図映像（ナビゲーション映像）に関する表示領域とに分割される。なお、２点押しのタッチ操作が横方向に行われた場合には、以上の左右２画面分割表示に代えて、上下２画面分割表示が行われる。
【００４４】
＜２画面表示モード＞
図７には、ナビゲーション装置１０の制御ユニット１００において２画面表示モード時に実行される表示制御方法の工程が示されている。なお、このナビゲーション単独モードにおいては、映像表示ユニット１２０の表示デバイス１２１上に、ナビゲーション処理に係る地図映像とＤＶＤタイトル映像との２つの映像が同時に表示されているものとする。
【００４５】
図７に示されるように、２画面表示モード時における表示制御方法にあっては、前述したナビゲーション単独モード時におけるそれと同様、制御ユニット１００は、ステップＳ１１におけるタッチパネル出力値取得、及びステップＳ１２における位置座標・線分の方向及び長さ算出に関する処理を順次実行する。
【００４６】
そして、制御ユニット１００は、ステップＳ４１において、上述のステップＳ１２において算出された線分に関する２つの位置座標が、表示デバイス１２１に表示されている２つの映像の画面にまたがっているか否かを判定する。この判定の結果、２つの位置座標が２画面にまたがっているとされた場合（ステップＳ４１；２画面）、制御ユニット１００は、ステップＳ４２において、その位置座標がオンスクリーンメニュー上に位置するか否かを判定することにより、タッチパネル１１１に対する２点押しのタッチ操作が、２つの映像に関する双方のオンスクリーンメニューに対して行われたものであるか否かを判定する。
【００４７】
以上のステップＳ４２における判定処理は、例えば、２人の操作者が、映像表示ユニット１２０の表示デバイス１２１に表示された２つの映像に関する各オンスクリーンメニューの操作を意図して、当該表示デバイス１２１を同時に（偶然に）操作した場合の配慮である。このために、制御ユニット１００は、２つの位置座標が双方のオンスクリーンメニュー上に位置しているとされた場合には（ステップＳ４２；Ｙ）、ステップＳ４３において、各オンスクリーンメニューの操作に基づく各対象処理を並列的に実行して、この２画面表示モード時における表示制御方法の工程を終了する。また、制御ユニット１００は、２つの位置座標が双方のオンスクリーンメニュー上に位置していないとされた場合には（ステップＳ４２；Ｎ）、１人の操作者又は２人の操作者により何らかの誤操作が行われたとして、この表示制御方法の工程を終了する。
【００４８】
これに対し、ステップＳ１２において算出された線分に関する２つの位置座標が、表示デバイス１２１に表示されている２つの映像の画面にまたがっておらず、当該２つの位置座標の双方がいずれか１画面に位置するとされた場合（ステップＳ４１；１画面）、制御ユニット１００は、前述したナビゲーション単独モード時と同様、ステップＳ１３における線分長さ有効判定、及びステップＳ１４における線分方向判定に関する処理を順次実行する。そして、ステップＳ１４において判定された線分の方向が縦又は横であった場合、制御ユニット１００は、前述したナビゲーション単独モード時と同様、ステップＳ１８におけるメニュー表示中判定、ステップＳ１９におけるメニュー操作判定、ステップＳ２０におけるショートカットメニュー表示、及びステップＳ２１における縦／横メニュー表示に関する処理を順次実行する。
【００４９】
これに対し、ステップＳ１４において判定された線分の方向が斜めであった場合、ステップＳ４４において、制御ユニット１００は、ステップＳ４１において判定された線分に関する位置座標が、２つの映像の画面のいずれに位置するかを判定することにより、２点押しのタッチ操作が行われた対象画面の種別を判定する。この判定の結果、２点押しのタッチ操作の対象画面が、他ソース映像に関する表示画面であるとされた場合（ステップＳ４４；他ソース）、制御ユニット１００は、１人の操作者により何らかのご操作が行われたとして、この２画面表示モード時における表示制御方法の工程を終了する。他方、そのタッチ操作の対象画面が、ナビゲーション映像に関する表示画面であるとされた場合（ステップＳ４４；ナビ）、制御ユニット１００は、前述したナビゲーション単独モード時と同様、ステップＳ１５における線分長さ判定、ステップＳ１６における地図縮小表示、及びステップＳ１７における地図拡大表示に関する処理を順次実行する。
【００５０】
以上説明したように、本実施形態においては、まず、制御ユニット１００の線分算出部１０１が、タッチパネル１１１の情報出力値に基づいてタッチ操作に係る２点の位置座標を算出すると共に、２点の位置座標により定義される線分の方向及び長さを算出するようにする。そして、制御ユニット１００の表示変更部１０２が、線分算出部１０１の算出結果に基づいて表示デバイスにおける映像表示形態を変更するようにする。この結果、タッチパネル１１１に対して行われる２点押しのタッチ操作を、表示デバイス１２１における様々な映像表示形態の変更に利用することが可能となる。
【００５１】
［実施形態の変形］
本発明は、上記の実施形態に限定されるものではなく、様々な変形が可能である。
【００５２】
例えば、上記実施形態では、他ソース映像の種類としてＤＶＤタイトル映像を例に挙げて説明したが、これ以外の例えばテレビ映像等の他ソース映像についても、例示したウィンドウ表示や２画面分割表示等に供することが可能である。この場合、例示のナビゲーション装置１０にテレビ信号受信ユニットを新たに装備し、これにより得られる映像データを制御ユニット１００に与えれるようにすればよい。
【００５３】
また、上記実施形態では、本発明の表示装置をナビゲーション装置１０に適用した例を挙げたが、無論、本発明は、これ以外の例えばコンピュータの表示装置等の種々の映像表示機器に対しても適用することが可能である。
【００５４】
また、上記実施形態では、制御ユニット１００の構成要素がハードウェア手段により構成されることを前提としたが、例えば、制御ユニット１００をＣＰＵ（Central Processing Unit）、ＲＯＭ、ＲＡＭ（Random Access Memory）等を備えたコンピュータにより構成し、上記実施形態で説明した表示制御方法を当該コンピュータに実行させるようにしてもよい。この場合、該当する表示制御プログラムは、ハードディスク装置やＣＤ−ＲＯＭ等のコンピュータ読み取り可能な記録媒体に記録され、コンピュータにより記録媒体から読み出されて実行される。また、この表示制御プログラムは、インターネット等のネットワークを介して配布されるようにしてもよい。
【図面の簡単な説明】
【００５５】
【図１】本発明の一実施形態に係るナビゲーション装置の機能構成を示すブロック図である。
【図２】図１に示されるナビゲーション装置の外観構成を示す正面図である。
【図３】図１に示される制御ユニットにおいてナビゲーション単独モード時に実行される表示制御方法を説明するためのフローチャートである。
【図４】図３に示されるナビゲーション単独モード時における表示デバイスの映像表示形態を説明するための図である。
【図５】図１に示される制御ユニットにおいて他ソース再生モード時に実行される表示制御方法を説明するためのフローチャートである。
【図６】図５に示される他ソース再生モード時における表示デバイスの映像表示形態を説明するための図である。
【図７】図１に示される制御ユニットにおいて２画面表示モード時に実行される表示制御方法を説明するためのフローチャートである。
【符号の説明】
【００５６】
１０            …ナビゲーション装置（表示装置）
１００          …制御ユニット（演算手段）
１０１          …線分算出部（線分算出手段）
１０２          …表示変更部（表示変更手段）
１１１          …タッチパネル
１２１          …表示デバイス
１２２          …表示ウィンドウ
１２３          …境界域
１３２，１３２ａ…ソフトキー（オンスクリーンメニュー）
【図１】
2007241410.tif 000003
【図２】
2007241410.tif 000004
【図３】
2007241410.tif 000005
【図４】
2007241410.tif 000006
【図５】
2007241410.tif 000007
【図６】
2007241410.tif 000008
【図７】
2007241410.tif 000009